【事件の表示】
　特許第２７６３６１７号「一液型ポリウレタン組成物」の請求項１に係る特許に対する特許異議の申立てについて、次のとおり決定する。　
【結　論】
　特許第２７６３６１７号の特許を取り消す。
【理　由】
（１）手続の経緯
　本件特許2763617号の請求項１に係る発明は、平成1年9月26日に出願され、平成10年3月27日にその特許の設定登録がなされ、その後、中川辰雄より特許異議の申立てがなされ、取消理由通知がなされ、その指定期間内である平成11年7月13日に特許異議意見書と共に訂正請求がなされた後、訂正拒絶理由が通知され、訂正拒絶理由に対して特許権者からの応答がなされなかったものである。
（２）訂正適否についての判断
　訂正事項ｃ及びｄは、特許明細書の実施例１及び実施例５において、「合成した」の前に、明瞭でない記載の釈明を目的として、「ＯＨ／ＮＣＯ比0.95〜0.75となるように」を挿入しようとするものであるが、当審によって訂正拒絶理由通知で示したとおり、新規事項の追加に該当するものである。
　また、訂正明細書の請求項１に係る発明は、その特許請求の範囲の請求項１に記載された事項により特定されたとおりのものと認められ、当審によって訂正拒絶理由の通知で示したとおり、刊行物１(特開昭63-251459号公報）、刊行物２（「化学大辞典」（縮刷版）第9巻、昭和59年3月15日、共立出版発行、第36頁）、刊行物３（特開昭62-232480号公報）及び刊行物４（「化学と工業」第13巻、第7号、昭和35年7月1日、日本化学会発行、第705頁）における刊行物1に記載された発明であるとともに、刊行物１〜４に記載された発明から、当業者が容易に発明をすることができたものであり、特許法第２９条第１項第３号及び同第２９条第２項の規定により特許出願の際独立して特許を受けることができないものである。
　よって、上記訂正は、特許法第１２０条の４第３項において準用する第１２６条第２項並びに同第４項の規定に適合しないので、当該訂正は認められない。
（３）特許異議の申立てについての判断
ア、本件発明
　上記のとおり、本件訂正請求は認められないものであるので、特許第2763617号の請求項１に係る発明（以下「本件発明１」という。）は、登録時の特許請求の範囲の請求項１に記載された次の事項により特定されるものである。
「【請求項１】末端にイソシアネート基を有するポリウレタンプレポリマー100重量部と、これに対し、コロイド状シリカ0.1〜20重量部と、ＪＩＳ　Ｋ2201で規定される工業ガソリン４号および／または５号1〜200重量部とを含有することを特徴とする一液型ポリウレタン組成物。」
イ、引用刊行物記載の発明
　当審が通知した取消理由に引用した刊行物１(特開昭63-251459号公報）、刊行物２（「化学大辞典」（縮刷版）第9巻、昭和59年3月15日、共立出版発行、第36頁）、刊行物３（特開昭62-232480号公報）及び刊行物４（「化学と工業」第13巻、第7号、昭和35年7月1日、日本化学会発行、第705頁）には、それぞれ次のとおりの記載が認められる。
ａ、刊行物１
「１．ウレタンプレポリマー（Ｉ）とポリアルキレンエーテルモノオールと有機イソシアネートとを反応して得られるウレタン化合物（ＩＩ）とからなる湿気硬化型ポリウレタン組成物。」（特許請求の範囲第１項）
「本発明の組成物は、プレポリマー（Ｉ）と化合物（ＩＩ）の混合物に、必要に応じて、水分を含まない乾燥させた溶剤、……、揺変材、……等各種添加剤が加えられ、……シーリング材、接着剤等として製造することが出来る。
　乾燥させた溶剤として、トルエン、キシレン、ターペン、酢酸エチル等通常のウレタン用溶剤が使用できる。」（第3頁右下欄8〜20行）
「揺変材は、…、微粉末シリカ、…等が挙げられる。」（第4頁左上欄8、9行）
「実施例１
　平均分子量3000のポリプロピレンエーテルグリコール300ｇ（0.1モル）と平均分子量4500のポリプロピレンエーテルトリオール900ｇ（0.2モル）に4,4'−ジフェニルメタンジイソシアネート175ｇ（0.7モル）、即ちＮＣＯ／ＯＨの当量比が1.75にて………遊離イソシアネート1.85％で25℃の粘度が160,000cpsのウレタンプレポリマー（Ｉ−１）を得た。
　…………。
　ウレタンプレポリマー（Ｉ−１）400ｇにウレタン化合物（ＩＩ−１）100ｇを加えポリウレタン組成物を調整した。」（第4頁右上欄12行〜左下欄17行）
「応用例１〜３　比較応用例１〜３
（配合）
　実施例１〜３又は比較例１〜３の組成物
　　　　　　　　　　　　　　　　　　500ｇ
　キシレン　　　　　　　　　　　　　100ｇ
　炭酸カルシウム　　　　　　　　　　300ｇ
　酸化チタン　　　　　　　　　　　　50ｇ
　アエロジル#200（日本アエロジル社製品、
　　　　　　　シリカ系チキソ剤）　　40ｇ
　プルロニックＰ−１１５
　　　　　　（旭電化製、チキソ助剤）5ｇ」（第6頁左上欄1〜11行）
ｂ、刊行物２
「ミネラルスピリット［英mineral　spirit　独Lackbenzin］　塗料用に用いる工業ガソリンの一種。揮発性がテレピン油に近似していて、テレピン油の代用品として用いられるのでミネラルターペンともいう。石油スピリット＊に同じ。
　ミネラルターペン［英mineral　turpentine］＝石油スピリット」（第36頁本文10〜17行）
ｃ、刊行物３
「　末端イソシアネート基を有するポリウレタンのプレポリマーに充填剤、可塑剤、チクソ剤、溶剤その他の助剤を混合する際に、ポリ塩化ビニールのペーストレジンを0.5〜10重量％添加することを特徴とする一液型ポリウレタン−シーリング材組成物。」（特許請求の範囲）
「本発明に使用するチクソ剤には、例えば超微粒子シリカ、……等があり、配合物中1〜5重量％の範囲で使用する。
　本発明に使用する溶剤には例えば、トルエン……；…、オクタン等の脂肪族炭化水素の他ガソリンから燈油留分に至る石油系溶剤類；……等があり、配合物中1〜20重量％の範囲で使用する。」（第3頁右上欄8〜20行）
「実施例１
　高粘度用混合ミキサーに……、プレポリマー35重量部、エロジル＃200　2重量部、……を装入して均一に攪拌する。均一に分散させた後脱水したキシレン13重量部を加え均一に分散させて本発明の一液型ポリウレタンシーリング材組成物を得た。」（第4頁左上欄7〜15行）
ｄ、刊行物４
「　6.3　工業ガソリン（ＪＩＳ．Ｋ2201-1958）
　　名称　　　　初留温度　50％留出温度　終点　　用途
………
２号　ゴム揮発油　　80〃　　　120〃　　160〃　ゴム、塗料などの溶剤
………
４号　ミネラルス　　30〃　　　180〃　　205〃　塗料溶剤、……
　　　ピリット
５号　クリーニング　150〃　　180〃　　210〃　ドライクリーニング用、
　　　　ソルベント　　　　　　　　　　　　　　　　　塗料用溶剤
」（第705頁、「工業ガソリン」）
ウ、対比・判断
　刊行物１の応用例には、ウレタンプレポリマー400ｇに対し、キシレン溶剤100ｇ及びコロイド状シリカが40ｇ配合された一液型ポリウレタン組成物が記載され、また溶剤として、キシレンなどとともにウレタン用溶剤のターペンが使用できるとあり、刊行物２及び４によれば、ターペンというのは本件発明１の工業用ガソリン４号に該当するものであることは明らかであるから、本件発明１は実質的に刊行物１に記載された発明である。
　また、本件発明１と刊行物３に記載された発明とを対比すると、両者は、末端イソシアネート基を有するポリウレタンプレポリマーとそれぞれの量範囲において一致する溶剤としてのガソリン及びコロイド状シリカを含有する一液型ポリウレタン組成物である点で一致し、本件発明１では、溶剤としてＪＩＳ　Ｋ2201で規定される工業ガソリン４号および／または５号とするのに対し、刊行物３ではただガソリンとしている点で相違するものと認める。
　しかしながら、刊行物３でいうガソリンはいわゆる工業ガソリンであることは明らかであり、そして刊行物４によれば、塗料用として用いられるものは、２号、４号及び５号であり、ただ２号については易揮発性であるため一液型ウレタン組成物の溶剤としては不向きであることは明らかであるから、４号および５号を選択することは容易なことに過ぎず、また刊行物１には工業ガソリン４号に相当するターペンを用いることが記載されていることからも容易と言わざるを得ないものである。そのことによる作用効果も格別なこととすることはできない。
　よって、本件発明１は、刊行物１〜４に記載された発明に基づいて、当業者が容易に発明をすることができたものである。
（５）むすび
　以上のとおりであるから、本件発明１は、上記刊行物１に記載された発明であるとともに、上記刊行物１〜４に記載された発明に基づいて当業者が容易に発明をすることができたものであるから、本件発明１についての特許は、特許法第２９条第１項３号及び同法第２９条第２項の規定に違反してされたものである。
　したがって、本件発明１についての特許は、特許法第１１３条第２号に該当し、取り消されるべきものである。
　よって、結論のとおり決定する。
【異議決定日】
平成１２年１月２６日（２０００．１．２６）